(57)【要約】【課題】  遊技機の筐体内部で発生する電磁波や静電気等を除去するための導電性を有し、且つ、廃棄負荷を軽減した環境にやさしい遊技機用筐体を提供する。【解決手段】  遊技機装置を収納するための遊技機用筐体であって、前面が開口した箱形形状に構成された本体部１０と、該本体部１０の前面開口を開閉自在に覆うように該本体部に一側方で回動可能に軸支された前扉７とで構成され、少なくとも該本体部１０が、導電体粉末を均一分散させた接着剤８３により角棒材８２が接着積層されて成る導電性パネル材８により形成されることを特徴とする遊技機用筐体とする。【選択図】図１
2007215621.tif 000002
【特許請求の範囲】
【請求項１】
遊技機装置を収納するための遊技機用筐体であって、
前面が開口した箱形形状に構成された本体部と、該本体部の前面開口を開閉自在に覆うように該本体部に一側方で回動可能に軸支された前扉とで構成され、
少なくとも該本体部が、導電体粉末を均一分散させた接着剤により角棒材が接着積層されて成る導電性パネル材により形成されることを特徴とする遊技機用筐体。
【請求項２】
前記角棒材は、複数の小角材の端部を継ぎ合わせて形成された角材であることを特徴とする請求項１に記載の遊技機用筐体。
【請求項３】
前記角棒材は、複数の小角材の端部をフィンガージョイントにより継ぎ合わせて形成された角材であることを特徴とする請求項１又は２に記載の遊技機用筐体。
【請求項４】
前記小角材相互の継合部分が、前記導電体粉末を均一分散させた接着剤で継ぎ合わされていることを特徴とする請求項２又は３に記載の遊技機用筐体。
【請求項５】
前記導電性パネル材の材質が木材であることを特徴とする請求項１乃至４のいずれかに記載の遊技機用筐体。
【請求項６】
前記導電性パネル材の材質が生分解性プラスチックであることを特徴とする請求項１乃至４のいずれかに記載の遊技機用筐体。
【請求項７】
前記遊技機用筐体は、パチスロ機に用いられる筐体であることを特徴とする請求項１乃至６のいずれかに記載の遊技機用筐体。
【発明の詳細な説明】
【技術分野】
【０００１】
本発明は、遊技機用筐体に関し、更に詳しくは、導電性を有し、且つ廃棄処分が容易な遊技機用筐体に関する。
【背景技術】
【０００２】
パチンコ型スロットマシン（以下、パチスロ機という）等の遊技機は、一般に、前面が開口した箱形の本体部と、その本体部の前面開口部の一側方に回動自在に取り付けられた前扉とから構成され、本体部の内部空間には、複数のリールを備えたリール装置やパチスロ機を電気的に制御するための制御装置、多数枚数のメダルを収容するホッパー等のメダル払出装置などの遊技機装置が格納されている。
【０００３】
このようなパチスロ機やパチンコ機等の遊技機械の筐体には、一般的に、ＭＤＦ（Medium Density Fiberboard）と称される中密度圧縮合板やパーティクルボードなどの合成板、その他積層合板など木材パネルが用いられる。ＭＤＦは、おが粉等のように木材を繊維状に粉砕してから結合剤で熱圧成形したものであり、パーティクルボードは、切削小片化した木材を結合剤を用いて熱圧成形したものである。
【０００４】
ところで、上述した構成の遊技機は、本体内部に多数の電子部品が収納されるのに加え、メダルやパチンコ玉などを移送する際に静電気が発生しやすい。この静電気や電気的ノイズ等により、制御装置が影響を受ける恐れがある。
【０００５】
このような電気的ノイズの対策として、例えば、本体枠の内面に沿ってアルミ箔シールや金属板、導電性樹脂などを配し、放電効果を高める手段が提案されている（例えば、特許文献１参照）。その他に、パチンコ等の球弾遊技機において、遊技板用装飾シートの装飾用印刷層の背面側に導電層を積層させた技術が提案されている（例えば、特許文献２参照）。
【特許文献１】特開２００３−１３５６５７号公報
【特許文献２】特開２００２−０１７９８４号公報
【発明の開示】
【発明が解決しようとする課題】
【０００６】
しかしながら、従来技術にあるような構成では、その遊技機を廃棄する際に不燃物となる廃棄物量が増え、分別もしにくくなる。
【０００７】
また、筐体に使用されるＭＤＦやパーティクルボードなどの合成板は、焼却時に高温を発するため、焼却炉を傷めてしまう可能性がある。また、焼却時には合成板作成に使用された結合剤が有害物質として発生する恐れがある。
【０００８】
本発明は、上記問題点に鑑みてなされたものであって、遊技機の筐体内部で発生する電磁波や静電気等を除去するための導電性を有し、且つ、廃棄負荷を軽減した環境にやさしい遊技機用筐体を提供することを課題とする。
【課題を解決するための手段】
【０００９】
本発明は、遊技機装置を収納するための遊技機用筐体であって、前面が開口した箱形形状に構成された本体部と、該本体部の前面開口を開閉自在に覆うように該本体部に一側方で回動可能に軸支された前扉とで構成され、少なくとも該本体部が、導電体粉末を均一分散させた接着剤により角棒材が接着積層されて成る導電性パネル材により形成されることを特徴とする遊技機用筐体に関する。
【００１０】
本発明において、前記角棒材は、複数の小角材の端部を継ぎ合わせて形成することが好ましく、特にフィンガージョイントにより継ぎ合わせて形成することが好ましい。また、該小角材相互の継合部分も前記導電体粉末を均一分散させた接着剤で継ぎ合わせることが好ましい。
【００１１】
本発明の遊技機用筐体に使用する導電性パネル材の材質は、木材であることが好ましく、生分解性プラスチックを用いることもできる。
【００１２】
また、本発明の遊技機用筐体は、パチスロ機の筐体として好適に用いることができる。
【発明の効果】
【００１３】
本発明の遊技機用筐体は、筐体内部に収納される電子部品やメダル等から発生する静電気等を導電することができるため、遊技機の制御装置が静電気等により影響を受けるのを防ぐことができる。また、筐体の材質が木材である場合は、廃棄時はチップにして堆肥や製紙原料としたり、固形燃料としたりして再利用することができる。更に、焼却処分とする場合であっても、高温を発することはないため焼却炉を傷める心配はなく、有害物質を発生することもない。そして、材質が生分解性プラスチックの場合も、廃棄時は燃焼可能であると共に、地中への埋め立て処理が可能であるため、環境に考慮した遊技機筐体を提供することができる。
【発明を実施するための最良の形態】
【００１４】
本発明を実施するための最良の形態は、導電体粉末を均一に分散させた接着剤で複数の小角材を継ぎ合わせた角棒材を、同じく導電体粉末を均一に分散させた接着剤で接着積層して形成した導電性パネル材を用いて、遊技機用筐体を作成する。該導電性パネル材は、少なくとも、上面板、底面板、右側面板、左側面板、及び背面板からなる前面が開口した箱形の本体部に用いられる。このように構成された遊技機用筐体は、内部空間に収納される電子部品やメダル等から発生する静電気を導電することができる。
【実施例】
【００１５】
以下、本発明の遊技機用筐体の実施形態について図１乃至図４に基づき、詳細に説明する。尚、本発明は下記実施形態になんら制限されるものではない。
図１は、本発明の一実施形態のパチスロ機の筐体の本体部を示す斜視図であり、図２は、図１のパチスロ機の筐体の本体部の構成を示す展開図である。図３は、導電性パネル材の作成方法を示す図である。図４は、本発明の一実施形態のパチスロ機の斜視図である。
【００１６】
本発明の一実施形態のパチスロ機の筐体は、図１に示す前面が開口した箱形の本体部１０と、その本体部１０の前面開口部を開閉自在に覆うように該本体部１０に一側方で回動可能に軸支された前扉７（図４参照）とで構成されている。図１及び図２に示すように、本体部１０は、上面板１、底面板２、左側面板３、右側面板４、及び背面板５とを組み立てて、前面開口の箱形とされる。
【００１７】
本発明の遊技機用筐体を構成する板材には、導電性パネル材８を使用する。本発明で用いる導電性パネル材８は、図３（ａ）〜（ｃ）に示すように、小角材８１を継ぎ合わせた角棒材８２を導電体粉末を均一分散させた接着剤８３で接着積層して形成したパネル材である。
【００１８】
本発明において、導電性パネル材８の材料には、木材を用い、建築物や家具などを製造した際に残った端材等も有効に利用することができる。端材等を使用した場合、パネル材作成時における製造コストを削減することができるとともに、廃材量を減らすことができる。
【００１９】
木材の材質としては、特に限定されないが、材の硬いものを用いることが好ましく、例えば、アカマツ、クロマツ、カラマツ、モミ、エゾマツなどマツ科の木材が挙げられる。これらの木材は一種を単独で用いても良く、二種以上を組み合わせて用いることもできる。
【００２０】
導電性パネル材８を形成する角棒材８２は、図３（ａ）及び図３（ｂ）に示すように、断面が所望の幅と厚さを有する複数の小角材８１を接合して形成する。小角材８は、上述した如く、端材等を成形して用いることができ、該端材は、材の大きな節や割れ目などを取り除き、一定の質として使用する。これにより、作成したパネル材の強度を均一に保つことができる。
【００２１】
前記小角材８１を接合する方法としては、例えば、フィンガージョイント、スカーフジョイント、パットジョイントなどが挙げられるが、角材に強度を与える目的からフィンガージョイントにより継ぎ合わせることが好ましい。このように小角材８１を継ぎ合わせた角棒材８２は、割れ、ねじれ、曲がりなどがおこらず、更に任意の幅、厚さ、長さの角材とすることができる。
【００２２】
パチスロ機の筐体を作成する場合の導電性パネル材８の寸法としては、例えば、一辺が１２ｍｍ乃至２０ｍｍ程度の所望幅と厚さの断面を有する小角材８１を用いて４メートル程度の角棒材８２を作成し、これを接着積層してパネル材を作成すれば厚みが１２ｍｍ乃至２０ｍｍ程度の厚板とすることができる。
【００２３】
角棒材８２を接着させる接着剤は、無機質系の接着剤ベースに導電体粉末を均一分散させたものを用いる。
【００２４】
接着剤ベースは、特に限定はされないが、液状の接着剤を用いることが好ましく、例えば、水性高分子イソシアネート系接着剤、レゾルシノール樹脂系接着剤、ユリア樹脂系接着剤、フェノール樹脂系接着剤などの木質材料接着用に用いられる接着剤を使用すればよい。特に、非ホルムアルデヒド系接着剤である水性高分子イソシアネート系接着剤を用いることが好ましい。
【００２５】
導電体粉末は、例えば、カーボンブラック、黒鉛などの炭素質からなる導電材を用い、接着剤ベースに任意の割合で混合する。接着剤ベースは角材の接着力の点から、少なくとも接着剤中７０重量％以上含むようにし、導電体粉末の含有量は接着剤中５〜１５重量％となるように分散させればよい。例えば、接着剤ベース７０重量％、カーボン分散液（カーボン含有量１０〜２０％）２７重量％、カーボン粉末３重量％を均一に混合した接着剤とすればよい。尚、導電体粉末は炭素質のものに限ることなく、導電性金属粉末を用いることもできる。
【００２６】
また、本発明の遊技機は、木材に換えて生分解性プラスチックを用いることもできる。生分解性プラスチックは、トウモロコシやサツマイモなどの植物資源から抽出したでんぷんなどを原料にした樹脂であり、水と二酸化炭素に分解できるため、地中への埋め立てが可能で、燃焼させても発生熱量が低く、有害物質が放出されることがない。従って、廃棄時に環境に悪影響を与えることのない遊技機用筐体とすることができる。
【００２７】
生分解性プラスチックを用いた場合は、生分解性プラスチックを射出成形等により小角材８１の形状に形成する場合や、棒状に押し出した後、小角材８１の形状又は角棒材８２の長さに切断することもある。更に、生分解性プラスチックを用いて導電性パネル材を作成する場合は、接着剤は、スチロール樹脂系接着剤、ポリエステル樹脂系接着剤などに上記導電体粉末を任意の割合で混合して使用すればよい。
【００２８】
以下、導電性パネル材８の作成方法について説明する。
図３（ａ）及び図３（ｂ）に示すように、まず、所望幅と所望厚さの断面を有する小角材８１の端部に凹状切削部８４ａあるいは凸状切削部８４ｂを形成し、フィンガージョイントにより継ぎ合わせて、所望長さの角棒材８２を形成する。次に、角棒材８２の表面を研磨して滑らかにする。
【００２９】
前記角棒材８２を接着するための接着剤ベースに導電体粉末を添加し、導電体粉末を均一分散させた接着剤８３を作製する。その後、研磨した角棒材８２の被接着面に導電体粉末を均一分散させた接着剤８３を塗布し、その上に他の角棒材８２を重ね合わせる。重ね合わせた角棒材８２の対面に接着剤の塗布、角棒材８２の重ね合わせを繰り返す（図３（ｃ）参照）。角棒材８２は、図３（ｃ）に示すように隣り合う角棒材８２の継合部８４をずらして重ねることが好ましい。これは、導電性パネル材８の強度を均一にしたり、該導電性パネル材８の表面に美観を与える効果がある。
【００３０】
その後、重ね合わせた方向に押圧し、圧締する。圧締後に端部をそろえ、表面を研磨し、導電性パネル材８とする。
【００３１】
この導電性パネル材８は、図３（ａ）〜図３（ｃ）に示すように角棒材８２間に導電体粉末を均一分散させた接着剤８３が塗布されているため、パネル材の長さＬ方向に電気を導電することができる。
【００３２】
本発明において、導電体粉末を均一分散させた接着剤８３を小角材８１の凹状切削部８４ａ及び凸状切削部８４ｂに塗布して小角材８１を継ぎ合わせて角棒材８２を作成してもよい。この場合、継合部８４をより強固に接着できると共に、導電性パネル材８は、該パネル材の長さＬ方向だけでなく幅Ｗ方向にも導電させることができる。
【００３３】
また、例えば、フィンガージョイントで小角材８１を継ぎ合わせ角棒材８２を作成した場合、その角棒材８２の重ね合わせは、図３（ｃ）に示すように、継合部８４のフィンガー形状がパネル面に現れるように角棒材８２を積層して接着するのが好ましいが、角棒材８２の継合部８４のフィンガー形状が現れる面に接着剤を塗布して角棒材を積層接着しても良い。また、一枚のパネル面にフィンガー形状が現れる角棒材と現れない角棒材が混合するように積層接着しても良い。
【００３４】
上記作成した導電性パネル材８を遊技機用筐体に使用する。本発明において、導電性パネル材８は、遊技機用筐体のうち少なくとも、上面板１、底面板２、左側面板３、右側面板４、及び背面板５からなる本体部１０に用いることで、導電機能を有する筐体とすることができる。
【００３５】
次に、本発明の遊技機用筐体１００の構成について説明する。
本発明の遊技機用筐体１００は、図１に示すような前面が開口した箱形形状に構成された本体部１０と、該本体部１０の前面開口部を開閉自在に覆うように該本体部１０に一側方で回動可能に軸支される前扉７とで構成され、図４に示す遊技機とされる。図４に示すように、遊技機用筐体１００は、略直方体形状をしており、立設した状態で、底面が上面よりも奥行きのある板で構成されている。
【００３６】
本体部１０は、図１及び図２に示すように、上面板１、底面板２、左側面板３、右側面板４、及び背面板５からなり、前面が開口の箱形とされる。
上面板１には、遊技機の手前側の端部に前扉７の上部内部に配置される不正防止の保護部材を取り付けるための取付部１ａが設けられている。
【００３７】
底面板２には、略中央部にメダル払出装置を取り付けるための取付部２ａと該メダル払出装置を固定するための固定部材を取り付けるための取付部２ｂが設けられ、底面板２の一端には、メダル払出装置から放出されたメダルをメダル収容箱へ流下させるための貫通穴２ｃが設けられる。
【００３８】
左側面板３には、前扉７を取り付けるための蝶番を取り付けるための取付部３ａや、リール装置や制御装置を固定するための複数の取付部３ｂが設けられ、左側面板３の略中央部には、遊技機用筐体１００を持ち運ぶ際に手を差し入れて該左側面板３を把持するための貫通穴３ｃや、該貫通穴３ｃの左右両側に遊技機用筐体１００を持ち運ぶための把手を留めるための取付部３ｄが設けられている。右側面板４には、取り付けられた前扉７を閉じた状態で固定する枠材を取り付けるための取付部４ａや、基板取付用の金具を留めるための金具取付部４ｂが設けられ、略中央部には、左側面板３と同様に遊技機用筐体１００を持ち運ぶ際に手を差し入れて該右側面板４を把持するための貫通穴４ｃ、及び把手を留めるための取付部４ｄが設けられている。
【００３９】
背面板５には、放熱用の貫通穴５ａと、制御装置等を取り付けるための取付部５ｂが設けられている。ほぼ中央部には、メダルを供給するための方形状の貫通穴５ｃが設けられ、貫通穴５ｃの横にはメダルの補給装置を取り付けるための貫通穴５ｄが設けられている。また、下部の一端には電源コードや信号線を引き出すための貫通穴５ｅが設けられている。
【００４０】
上記した上面板１、底面板２、左側面板３、右側面板４、及び背面板５を図１に示すように組み立て、前面開口の本体部１０とする。尚、各部材は任意の接着剤を用いて接着組み立てすれば良く、接着剤としては特に限定されないが、例えば、導電性パネル材８を作成する際に用いた導電体粉末を均一分散させた接着剤８３や、市販の不燃性接着剤、例えばホットメルト接着剤を用いることができる。
【００４１】
また、本発明において、本体部１０を組み立てる際に各部材の接合部分に、図１に示すように、サン木６を取り付けても良い。サン木６は、上面板１と底面板２が接合する左側面板３、右側面板４、及び背面板５の接合部分にそれぞれ取り付けるのが良い。
【００４２】
サン木６は、筐体の補強を目的として取り付けられるが、取り付けの際に、導電体粉末を均一分散させた接着剤で接着し取り付けると導電効率を高めることができる。特に、導電性パネル材８の作成時において継合部８４に導電体粉末を均一分散させた接着剤８３を塗布しない場合は、サン木６の接着に該導電体粉末を均一分散させた接着剤を用いることが好ましい。
【００４３】
本発明において、図示は省略するが、本体部１０の組み立て時にアース用の電線等を設置する。アース線の配置により、導電性パネル材を通電した静電気を確実に遊技機外へ放電することができる。
【００４４】
上記した構成の本体部１０の前面開口部を前扉７で開閉自在に覆い、遊技機用筐体とする。前扉７は、ガラスや金属など、任意の材質を成形して使用しても良いが、本体部１０を構成するパネル材と同一のパネル材８を使用することができる。
【００４５】
上記の構成により、遊技機用筐体内で発生した静電気は、筐体を構成する導電性パネル材を通電し、制御装置等に悪影響を与えることなく、筐体外へ放電される。
【００４６】
以上詳述した如く、本発明の遊技機用筐体１００は、廃棄時において分別の必要がないため、廃棄負荷を軽減することができる。また、導電性パネル材８の材質に木材を使用した場合、遊技機としての使用後の廃棄時の焼却処分において、高温を発することはないので焼却炉をいためる心配はなく、有害物質も発生することはない。また、容易に分解、粉砕できるため、チップ状として堆肥や製紙原料としたり、角材の状態で固形燃料としたりすることができる。
【００４７】
更に、端材を使用して導電性パネル材を作成した場合は、作成時における製造コストを削減できるとともに、廃材量を減らすことができるので環境保護に有効である。
【００４８】
また、導電性パネル材の材質に生分解性プラスチックを用いた場合、生分解性プラスチックは、水と二酸化炭素に分解できるため、廃棄時に地中への埋め立てが可能である。また、燃焼させても発生熱量が低く、有害物質が放出されることがないため、環境にやさしい遊技機用筐体とすることができる。
【００４９】
尚、本発明は、遊技機としてはパチスロ機に限定するものではなく、パチンコ機やスロットマシンなど、筐体内部に電子部品を収納する全ての遊技機に対して好適に対応できる。
【図面の簡単な説明】
【００５０】
【図１】本発明の一実施形態のパチスロ機の筐体の本体部を示す斜視図である。
【図２】図１のパチスロ機の筐体の本体部の構成を示す展開図である。
【図３】導電性パネル材の作成方法を示し、（ａ）及び（ｂ）は、複数の小角材を継ぎ合わせて角棒材を形成する工程を示す図であり、（ｃ）は、角棒材を接着積層する工程を示す図である。
【図４】本発明の一実施形態のパチスロ機の斜視図である。
【符号の説明】
【００５１】
１        上面板
２        底面板
３        左側面板
４        右側面板
５        背面板
６        サン木
７        前扉
８        導電性パネル材
１０      本体部
１００    遊技機用筐体
８１      小角材
８２      角棒材
８３      導電体粉末を均一分散させた接着剤
８４      継合部
８４ａ    凹状切削部
８４ｂ    凸状切削部
１ａ、２ａ、２ｂ、３ａ、３ｂ、３ｄ、４ａ、４ｄ、５ｂ      取付部
４ｂ      金具取付部
２ｃ、３ｃ、４ｃ、５ａ、５ｃ、５ｄ、５ｅ      貫通穴
【図１】
2007215621.tif 000003
【図２】
2007215621.tif 000004
【図３】
2007215621.tif 000005
【図４】
2007215621.tif 000006